(57)【要約】      （修正有）【課題】直管楽器のサムレストに係止させるためにストラップの下端に取付ける係止具において、親指との接触部分を小さくしても楽器との係止状態を安定させられる直管楽器用ストラップの係止具を提供する。【解決手段】外周面に凹溝２３を形成した板部材２１の上部にストラップとの取付け部を、下部に切欠き凹部２４を設け、凹溝内に糸を取付けて切欠き凹部２４の下端側で糸２６を露出させ、糸の露出部を直管楽器のサムレストとの係止部とする。【選択図】図３
0003173570.tif 000002
【実用新案登録請求の範囲】
【請求項１】
直管楽器のサムレストに係止させるためにストラップの下端に取付ける係止具において、外周面に凹溝を形成した板部材の上部にストラップとの取付け部を下部に切欠き凹部を設け、凹溝内に糸を取付けて切欠き凹部の下端側で糸を露出させ、糸の露出部を直管楽器のサムレストとの係止部とした係止具。
【請求項２】
切欠き凹部の上部側の幅をサムレストの幅より大きく形成した請求項１に記載の係止具。
【請求項３】
凹溝の一部を板部材の外周部の内側に穿設した孔に代えて糸の取付け部とした請求項１又は２に記載の係止具。
【考案の詳細な説明】
【技術分野】
【０００１】
本考案は、直管楽器のサムレストに係止させるためにストラップの下端に取付ける係止具に関するもので、ソプラノクラリネット、ソプラノサックス、オーボエなどの比較的軽量の直管楽器をストラップに吊す際に使用される。
【背景技術】
【０００２】
直管楽器、例えばソプラノクラリネット１を演奏する場合には、楽器の背面側から突出させた舌片状のサムレスト２の下に右手親指をあてがって楽器を支え、マウスピース３を口にくわえて指で操作を行う（図１参照）。演奏中は、右手親指と操作する指とで楽器を扱うため、右手親指は楽器の重量を直接受けることになる。そのため、この親指に掛かる負担が極めて大きくなり、多くの演奏家は親指のＣＭ関節を傷めて関節炎との闘いを余儀なくされることがある。
【０００３】
そのため、演奏時間が長くなる場合には、ストラップを使用して楽器を首から吊り下げて演奏されることが多くなり、特許文献１に示した金属製のフックを係止具としてサムレストに係止させている。
【０００４】
しかしながら、これらの係止具のフックは演奏時の動きにも耐えられるように比較的太い素材で形成されているから、係止具を引っ掛けたサムレストの下に右手親指をあてがうと、親指が係止具に接触することになる。係止具が外れないようにサムレストに細幅部を設けてここに係止具を係止させるタイプも存在しているが、サムレストの舌片自体が大きいものではないから親指が係止具と接触することになる。そのため、演奏者が違和感を覚え演奏に対する集中力が削がれるばかりではなく、往々にして指先を痛めてしまうことがあった。
【先行技術文献】
【特許文献】
【０００５】
【特許文献１】実公昭４９−１８０１８号公報
【考案の概要】
【考案が解決しようとする課題】
【０００６】
本考案は、直管楽器のサムレストに係止させるためにストラップの下端に取付ける係止具において、親指との接触部分を小さくしても楽器との係止状態を安定させられるようにすることを課題としたものである。
【課題を解決するための手段】
【０００７】
この技術的課題を解決するための第一の技術的手段は、イ）外周面に凹溝を形成した板部材の上部にストラップとの取付け部を設け、ロ）板部材の下部に切欠き凹部を設け、ハ）凹溝内に糸を取付けて切欠き凹部の下端側で糸を露出させ、ニ）糸の露出部を直管楽器のサムレストとの係止部としたこと、である。
第二の技術的手段は、上記ストラップにおいて、切欠き凹部の上部側の幅をサムレストの幅より大きく形成したことである。
【０００８】
本考案に係る係止具は板部材で形成されていて、その上部にストラップとの取付け部を、下部に切欠き凹部を設けているから、ストラップに係止具を取付けると、切欠き凹部は下向きに開放された形態となる。
板部材には外周面に凹溝が形成されているから、凹溝内に糸を取付けると切欠き凹部の下端側では糸が露出することになる。糸の上方に位置する切欠き凹部の空間を利用してサムレストの舌片を進入させると、露出した糸を直管楽器のサムレストに係止させることができる。
【０００９】
切欠き凹部で露出している糸は適度の張力を備えていて、楽器を吊り下げるとサムレストの下面に臨ませた糸に若干の撓みが生じ、これによって楽器との係止状態を安定させることができる。また、糸自体は細いものであるから、サムレストにあてがう親指との接触部分を小さくすることができる。
【００１０】
サムレストがその細幅部を備えていてそこに係止具を係止させるタイプの場合には、切欠き凹部の上部側の幅をサムレストの幅より大きく形成しておくと、幅広となっているサムレストの先端側を円滑に切欠き凹部内へ導くことが可能となり、細幅の係止部に対応して糸の短い露出部で楽器を係止して楽器との係止状態を安定させることができる。
【００１１】
板部材としては、木、合成樹脂、金属あるいはセラミックを素材としたものを好適に使用することができる。板部材の大きさは、ストラップに取付けて楽器を吊るすに適したものであればよく、その形状も丸形、方形、馬蹄形、竪琴形など、好みに応じて選択すればよい。
また、板部材の凹溝に取付ける糸としては、直管楽器を吊して行う演奏に耐えられるものであればよく、ナイロンやレーヨン等の合成樹脂製の糸の他、三味線糸などの天然繊維からなる糸を好適に使用することができる。
【考案の効果】
【００１２】
親指との接触部分を小さくしても楽器との係止状態を安定させられる結果、右手親指に特別の違和感や緊張感が生れることもなく、快適な演奏を楽しむことができる。
また、張設された糸を利用した係止具は、楽器の種類やメーカーを問わずに係止させられる利点がある。
さらに、係止具を金属製等の硬い素材で形成した場合には、演奏中の動きによって楽器との接触音を発生することがあったが、本考案では糸で楽器を係止するために、異音が発生することはない。
【図面の簡単な説明】
【００１３】
【図１】ソプラノクラリネットの正面図
【図２】ソプラノクラリネットの要部背面図
【図３】ストラップの斜視図
【図４】係止具の形態を示す正面図
【考案を実施するための最良の形態】
【００１４】
図３は、本考案に係る係止具を取付けたストラップを示したものである。
ストラップの上部の首に掛かる部分は帯体１０で形成されている。帯体１０の一方の端部にはその長さを調整できるように、帯体の折り返し部１３とバックル１２とからなる調整部１１を設けている。
【００１５】
帯体１０の他方の端部と折り返し部１３には連結環１４、１５を介して紐１６、１６を取付けている。
この実施例では、スライド片１７、１７を紐１６、１６の外側に挿通させていて、上段のスライド片１７を帯体１１側に移動させ、下段のスライド片１７を後述する板部材２１側に移動させると、紐１６、１６を並行状態に維持することができる。
【００１６】
係止具２０を構成する板部材２１は、本実施例では円形のもの使用している。
板部材２０の上部には紐１６、１６を取付ける孔２２、２２が形成してあり、その下に切欠き凹部２４を設けている。この凹部２４の上部２５（板部材の中心部側）の幅は下部（凹部の開放側）の幅よりも大きく構成して、サムレスト２の挿脱を容易に行えるようにしている。
なお、紐１６との取付け構造は、本実施例のように孔を用いる他適宜公知の取付け構造を採用することができる。
【００１７】
板部材２１の周面には溝２３が形成してあって、その中にナイロン糸２６を取付けている。糸２６は切欠き凹部２４の下端開放部を横断して露出状態となっている。
この実施例では、板部材２１の上端部にも小さな切欠き凹部２７を形成してあって、この凹部を利用して凹溝１３内に取付けた糸２６の端部同士を結び合わせている。
【００１８】
図４は板部材２１の形態例を示したのもで、ａは図３に示した丸形の板部材である。ｂは馬蹄形、ｃは竪琴形の板部材である
ｂの板部材においては、左右の外周傾斜部の内側に沿って孔３１、３１が穿設してあり、これらの孔はその上部の凹溝３２に連続する構成となっている。また、ｃの板部材では、左右の外周部の下部で斜め方向に孔３３、３３を穿設し、その上部の凹溝３４に連続する構成となっている。凹溝３２、３４に取り付けられる糸２６を孔３１、３３へ挿通することによって、糸２６の取付け状態を一層安定させられる。
【符号の説明】
【００１９】
１ソプラノクラリネット、  ２サムレスト、  ３マウスピース、  ５レジスターキー、  ６ホール、  11ストラップ上部を構成する帯体、  12バックル、  14、15連結環、  16、16紐、  17スライド片、  20係止具、  21板部材、  22紐取付け用の孔、  23板部材周面の凹溝、  24切欠き凹部、  26ナイロン糸、  27小さい切欠き凹部
【図１】
0003173570.tif 000003
【図２】
0003173570.tif 000004
【図３】
0003173570.tif 000005
【図４】
0003173570.tif 000006